(57)【要約】      （修正有）【課題】重い荷物を入れたときに中仕切りが型崩れしてしまい、中仕切りで押さえている荷物が片寄ってしまうことを防止できるキャリーケースを提供する。【解決手段】身側シェル１０及び蓋側シェル１１と、キャリーケース１内を所定の領域に仕切るための中仕切り２と、を備え、中仕切り内に、１つ又は複数の硬質なプレート９が取外し可能に内装されている。硬質なプレートはポリエチレン製であることが好ましい。【選択図】図４
0003209510.tif 000002
【実用新案登録請求の範囲】
【請求項１】
キャリーケースであって、
身側シェル及び蓋側シェルと、
該キャリーケース内を複数の領域に仕切るための中仕切りと、
を備え、
上記中仕切り内に、１つ又は複数の硬質なプレートが取外し可能に内装されていることを特徴とする、キャリーケース。
【請求項２】
該キャリーケースは、上記身側シェルと蓋側シェルとの間に拡張可能に構成された拡張部を有し、
上記１つ又は複数の硬質なプレートが上記中仕切りから取り外されて少なくとも上記拡張部の内側底面を覆う位置に設置され得るように、上記身側シェルと蓋側シェルのうちの少なくとも一方に上記１つ又は複数の硬質なプレートを係止するための１つ又は複数の治具が設けられていることを特徴とする請求項１に記載のキャリーケース。
【請求項３】
上記硬質なプレートがポリエチレン製の硬質なプレートであることを特徴とする請求項１又は請求項２に記載のキャリーケース。
【考案の詳細な説明】
【技術分野】
【０００１】
本考案は、中仕切りを備えるキャリーケースに関し、詳しくは、硬質なプレート（板）を内装する中仕切りを備えるキャリーケースに関する。
【背景技術】
【０００２】
トラベルケースないしキャリーケースは、ケース開閉用のジッパーに隣接して配置された拡張部を備え得る。そのようなトラベルケースやキャリーケースにおいては、拡張用ジッパーを開閉してケースの蓋側シェルと身側シェルとの間を拡張させることにより、ケースの内部空間を広くすることができる。
【０００３】
概して、トラベルケースには、該トラベルケース内を複数の区間に仕切るとともに収納物（例えば、衣服）を保持するための中仕切りが設けられている。中仕切りの辺縁部に設けられた係着具を使って身側シェル又は蓋側シェルに固定されている該中仕切りの固定を解除した後、例えば該中仕切りと身側シェルとの間に荷物を収納して、再び身側シェルの一部に係着具を係着して該中仕切りを固定することにより、トラベルケースを牽いて歩くときにキャリーケース内の収納物が片寄ってしまうことを防ぐことができる。
【先行技術文献】
【特許文献】
【０００４】
【特許文献１】特許第５７４０２１９号公報
【特許文献２】実用新案登録第３２０６０１２号公報
【考案の概要】
【考案が解決しようとする課題】
【０００５】
キャリーケース内で用いられる中仕切りは、一般に柔軟な素材からつくられているため（特許文献１を参照）、重い荷物を入れたときに型崩れしてしまい、或いは該中仕切りで押さえている荷物が片寄ってしまうことがある。特には、身側シェルと蓋側シェルとの間に拡張機能を有するキャリーケースにおいて（特許文献２を参照）、身側シェルと蓋側シェルとの間の拡張部が拡張した状態で中仕切りと身側シェルとの間に重い荷物が収納された際に、荷物の重さで中仕切りが型崩れすると、柔らかい素材で形成されている拡張部にのしかかり、ひいては拡張部が地面に触れる程度にまで下方へ膨らんでしまう恐れがある。
【課題を解決するための手段】
【０００６】
キャリーケース内の中仕切りが型崩れすることを防ぐためには、中仕切り自体が硬質な材料で形成されているか、或いは中仕切りに硬質なプレートが内装されているとよい。
【０００７】
本考案のキャリーケースは、身側シェル及び蓋側シェルと、該キャリーケース内を複数の領域に仕切るための中仕切りと、を備え、中仕切り内に、１つ又は複数の硬質なプレートが取外し可能に内装されていることを特徴とする。
【０００８】
一実施例においては、本考案のキャリーケースは、身側シェルと蓋側シェルとの間に拡張可能に構成された拡張部を有し、１つ又は複数の硬質なプレートが中仕切りから取り外されて少なくとも拡張部の内側底面を覆う位置に設置され得るように、身側シェルと蓋側シェルのうちの少なくとも一方に１つ又は複数の硬質なプレートを係止するための１つ又は複数の治具が設けられていることを特徴とする。
【０００９】
また、硬質なプレートがポリエチレン製の硬質なプレートであることを特徴とする。
【図面の簡単な説明】
【００１０】
【図１】キャリーケースの斜視図。
【図２】中仕切り内へ硬質なプレートを挿入する様子を示す図。
【図３】硬質なプレートが挿入された後の中仕切りを示す図。
【図４】キャリーケースの内部を透視して中仕切りを示す図。
【図５】硬質なプレートがキャリーケースの内側底面に設置されている状態を示す図。
【考案を実施するための形態】
【００１１】
図１に示されるように、キャリーケース１は、身側シェル１０及び蓋側シェル１１と、手提げ用ハンドル１７と、キャスタ１８と、を備える。キャリーケース１は更に、身側シェル１０と蓋側シェル１１との間に、拡張可能に構成された拡張部１３を有し得る。
【００１２】
一実施例においては、拡張部１３は、擦れや衝突に強い耐摩耗性の素材から形成され得る。例えば、拡張部１３は、アラミド繊維が混合された柔軟な素材から形成され得る。
【００１３】
キャリーケース１の２つのシェル間に設けられた拡張部１３は、例えば、蛇腹式に拡張可能に構成されており、旅先で予想外に荷物が増えた場合などにおいて、増加した荷物の量に応じて拡張部１３を拡張させることにより、キャリーケース１内の収容スペースを拡大させて使用することができる。或いは、予め拡張部１３を拡張させて使用している場合に、旅先などで荷物の量が少なくなったことに応じて拡張部１３を収縮させることにより、キャリーケース１内の収容スペースを縮小させて使用することができる。
【００１４】
一実施例においては、キャリーケース内を複数の領域に仕切るための中仕切り２に、少なくとも１か所のまち部４が設けられている。中仕切り２は、ベルトなどの係着具８を使ってキャリーケースのシェルに接続されて使用され得る。中仕切り２のまち部４の第１辺部５と第２辺部６の間がオープンファスナ（ジッパー）７により係着されており、オープンファスナ７による係着が解除されると、中仕切り２が伸長可能な状態となる。
【００１５】
キャリーケース１内で使用される中仕切り２は、キャリーケース１から完全に取り外すことができるように構成されている。キャリーケース１に大きな寸法の荷物を収納する際には、一旦キャリーケース１から中仕切り２を完全に取り外してから、キャリーケース１内へ荷物を収納し、その後、伸張された中仕切りを使って荷物を押さえるとよい。
【００１６】
一実施例においては、中仕切り２は、素材の性質などによる柔軟性を有している。他の実施例においては、中仕切り２は、伸縮性の高い素材からつくられている場合もある。
【００１７】
図２において矢印の方向に、中仕切り２内へ１つ又は複数の硬質なプレート９が挿入され得る。一実施例においては、１つ又は複数の硬質なプレート９は、ポリエチレンから形成されている。他の実施例においては、引張強度や耐衝撃性に優れた熱硬化性樹脂から形成されている。そのような熱硬化性樹脂としては、例えば、メラミン樹脂がある。
【００１８】
図３は、中仕切り２に内装された状態の硬質なプレート９を破線で示している。硬質なプレート９は、中仕切り２に出し入れ可能となるように、中仕切り２に内装されている。この中仕切り２は、硬質なプレート９を内装していることにより、型崩れしにくい。
【００１９】
一実施例においては、中仕切り２に１つ又は複数のポケットが設けられている（図示せず）。そのポケットの寸法が例えばパスポートを入れるのに適した寸法であるとよい。
【００２０】
図４は、キャリーケース１の内部を透視して中仕切り２を概略的に示す図である。この実施例においては、中仕切り２は、ベルト等の係着具８を使って身側シェル１０に係着されており、該中仕切り２内に、１つ又は複数の硬質なプレート９（破線で図示されている）が内装されている。
【００２１】
図５に示されるように、本考案の一実施例においては、身側シェル１０及び蓋側シェル１１のうちの少なくとも一方のシェルの内側に、中仕切りから取り外された１つ又は複数の硬質なプレート９を所定の位置に設置するために１つ又は複数の治具１４が設けられている。一実施例においては、治具１４は、Ｌ字形の断面形状を有する。１つ又は複数の治具１４に案内され係止された硬質なプレート９は、キャリーケース１内の所定の位置に設置される。キャリーケース１の少なくとも拡張部１３の内側底面を覆う位置に硬質なプレート９が設置されると、この硬質なプレート９がキャリーケース１内の荷物を支持することにより、荷物の重さで拡張部１３が下方へ膨らんでしまうことがない。
【００２２】
１つ又は複数の治具１４は、図５に示されている位置に限定されることなく他の様々な位置に配置され得る。また、１枚の硬質なプレート９が治具１４に係止される場合もあれば、２枚の硬質なプレート９が治具１４に係止される場合もある。特にはキャリーケース１の拡張部１６を最大限に拡張させているときに２枚の硬質なプレート９をキャリーケース１の内側底面を覆う位置に設置して、大きな荷物を受けるようにするとよい。
【００２３】
一実施例においては、キャリーケース１の少なくとも拡張されていない状態の拡張部１３の内側底面を覆う位置に、硬質なプレート９が設置され得るように構成されている。他の実施例においては、キャリーケース１の少なくとも拡張された状態の拡張部１３の内側底面を覆う位置に、硬質なプレート９が設置され得るように構成されている。
【００２４】
本考案のキャリーケース１は、該キャリーケース１内で使用される中仕切り２が硬質なプレート９を内装していることにより、キャリーケース１に収納された荷物の重量によって中仕切り２が型崩れすることがなく、ひいてはキャリーケース１の拡張部１３が下方へ膨らむことを防ぐことができる。また、中仕切り２から取り外された硬質なプレート９を、１つ又は複数の治具１４を使って拡張部１３を覆う位置に設置することにより、キャリーケース１内に重い荷物を収納したとしても、拡張部１３が下方へ膨らむことを防ぐことができる。
【符号の説明】
【００２５】
１…キャリーケース
２…中仕切り
３…辺縁部
４…まち部
５…第１辺部
６…第２辺部
７…オープンファスナ（ジッパー）
８…係着具（ベルト）
９…硬質なプレート
１０…身側シェル
１１…蓋側シェル
１２…拡張用ジッパー
１３…拡張部
１４…治具
１６…開閉用ジッパー部
１７…手提げ用ハンドル
１８…キャスタ
【図１】
0003209510.tif 000003
【図２】
0003209510.tif 000004
【図３】
0003209510.tif 000005
【図４】
0003209510.tif 000006
【図５】
0003209510.tif 000007